【手続補正書】
【提出日】平成16年4月6日(2004.4.6)
【手続補正１】
【補正対象書類名】明細書
【補正対象項目名】発明の名称
【補正方法】変更
【補正の内容】
【発明の名称】ディジタル画像出力装置及びディジタル画像復号装置
【手続補正２】
【補正対象書類名】明細書
【補正対象項目名】特許請求の範囲
【補正方法】変更
【補正の内容】
【特許請求の範囲】
【請求項１】
符号化されたディジタル画像データを受信し、前記符号化されたディジタル画像データを復号して出力すると共に、符号化時の画像データの更新の有無に関する情報を与える画像データ更新情報を前記符号化されたディジタル画像データに基づいて生成した上で前記画像データ更新情報を出力することを特徴とする、
ディジタル画像復号装置。
【請求項２】
請求項１記載のディジタル画像復号装置であって、
画像の一部であるブロック単位の更新情報又はフレーム単位の更新情報の何れか一方を前記画像データ更新情報として用いることを特徴とする、
ディジタル画像復号装置。
【請求項３】
請求項１記載のディジタル画像復号装置であって、
画像の一部であるブロック単位の更新情報及びフレーム単位の更新情報の両方を前記画像データ更新情報として用いることを特徴とする、
ディジタル画像復号装置。
【請求項４】
請求項１乃至３の何れかに記載の前記ディジタル画像復号装置と、
前記ディジタル画像復号装置が出力する前記画像データ更新情報に基づき符号化時に画像データが更新されている部分を特定し、当該特定結果に基づいて前記ディジタル画像復号装置が出力する前記ディジタル画像データの内で符号化時に更新されている部分のみに対応したディジタル画像データを転送するディジタル画像データ転送装置と、
前記ディジタル画像データ転送装置が転送出力する前記ディジタル画像データを蓄積するディジタル画像データ蓄積装置とを備えたことを特徴とする、
ディジタル画像出力装置。
【請求項５】
請求項４記載のディジタル画像出力装置であって、
前記ディジタル画像データ転送装置は、
前記画像データ更新情報に基づいて前記更新部分を特定し、前記特定結果を転送制御信号として出力する画像データ転送領域制御手段と、
前記転送制御信号に基づいて前記ディジタル画像復号装置が出力する前記ディジタル画像データの内から前記更新部分のディジタル画像データのみを前記ディジタル画像データ蓄積装置へ転送する画像データ転送手段とを備えたことを特徴とする、
ディジタル画像出力装置。
【請求項６】
請求項４記載のディジタル画像出力装置であって、
前記ディジタル画像データ転送装置は、
前記画像データ更新情報に基づいて前記更新部分を特定し、前記特定結果を転送制御信号として出力する画像データ転送領域制御手段と、
前記ディジタル画像復号装置が出力する前記ディジタル画像データから一枚の画像を再構成する画像再構成用データ蓄積手段と、
前記転送制御信号に基づいて前記画像再構成用データ蓄積手段から前記更新部分のみに対応したディジタル画像データを読み出して前記ディジタル画像データ蓄積装置へ転送する画像データ転送手段とを備えたことを特徴とする、
ディジタル画像出力装置。
【請求項７】
請求項４記載のディジタル画像出力装置であって、
前記ディジタル画像データ転送装置は、
前記画像データ更新情報に基づいて前記更新部分を特定し、前記特定結果を転送制御信号として出力する画像データ転送領域制御手段と、
前記転送制御信号に基づいて前記ディジタル画像復号装置が出力する前記ディジタル画像データの内から前記更新部分のディジタル画像データのみを転送する第１画像データ転送手段と
前記第１画像データ転送手段が出力する前記更新部分のディジタル画像データから一枚の画像を再構成する画像再構成用データ蓄積手段と、
前記転送制御信号に基づいて前記画像再構成用データ蓄積手段から前記更新部分のディジタル画像データのみに対応したディジタル画像データを読み出して前記ディジタル画像データ蓄積装置へ転送する第２画像データ転送手段とを備えたことを特徴とする、
ディジタル画像出力装置。
【請求項８】
ディジタル画像データを符号化し、符号化された画像をモニタリングするためのモニタリング用画像データを出力すると共に、符号化時の画像データの更新の有無に関する情報を与えるモニタリング用画像データ更新情報を出力するディジタル画像符号化装置と、
前記ディジタル画像符号化装置が出力する前記モニタリング用画像データ更新情報に基づき符号化時に画像データが更新されている部分を特定し、当該特定結果に基づいて前記ディジタル画像符号化装置が出力する前記モニタリング用画像データの内で符号化時に更新されている部分のみに対応したモニタリング用画像データを転送するモニタリング用画像データ転送装置と、
前記モニタリング用画像データ転送装置が転送出力する前記モニタリング用画像データを蓄積するモニタリング用画像データ蓄積装置とを備えたことを特徴とする、
ディジタル画像出力装置。
【請求項９】
請求項８記載のディジタル画像出力装置であって、
画像の一部であるブロック単位の更新情報又はフレーム単位の更新情報の何れか一方を前記画像データ更新情報として用いることを特徴とする、
ディジタル画像出力装置。
【請求項１０】
請求項８記載のディジタル画像出力装置であって、
画像の一部であるブロック単位の更新情報及びフレーム単位の更新情報の両方を前記画像データ更新情報として用いることを特徴とする、
ディジタル画像出力装置。
【請求項１１】
請求項８記載のディジタル画像出力装置であって、
前記モニタリング用画像データ転送装置は、
前記モニタリング用画像データ更新情報に基づいて前記更新部分を特定し、前記特定結果を転送制御信号として出力する画像データ転送領域制御手段と、
前記転送制御信号に基づいて前記ディジタル画像符号化装置が出力する前記モニタリング用画像データの内から前記更新部分のモニタリング用画像データのみを前記モニタリング用画像データ蓄積装置へ転送する画像データ転送手段とを備えたことを特徴とする、
ディジタル画像出力装置。
【請求項１２】
請求項８記載のディジタル画像出力装置であって、
前記モニタリング用画像データ転送装置は、
前記モニタリング用画像データ更新情報に基づいて前記更新部分を特定し、前記特定結果を転送制御信号として出力する画像データ転送領域制御手段と、
前記ディジタル画像符号化装置が出力する前記モニタリング用画像データから一枚の画像を再構成する画像再構成用データ蓄積手段と、
前記転送制御信号に基づいて前記画像再構成用データ蓄積手段から前記更新部分のみに対応したモニタリング用画像データを読み出して前記モニタリング用画像データ蓄積装置へ転送する画像データ転送手段とを備えたことを特徴とする、
ディジタル画像出力装置。
【請求項１３】
請求項８記載のディジタル画像出力装置であって、
前記モニタリング用画像データ転送装置は、
前記モニタリング用画像データ更新情報に基づいて前記更新部分を特定し、前記特定結果を転送制御信号として出力する画像データ転送領域制御手段と、
前記転送制御信号に基づいて前記ディジタル画像符号化装置が出力する前記モニタリング用画像データの内から前記更新部分のモニタリング用画像データのみを転送する第１画像データ転送手段と
前記第１画像データ転送手段が出力する前記更新部分のモニタリング用画像データから一枚の画像を再構成する画像再構成用データ蓄積手段と、
前記転送制御信号に基づいて前記画像再構成用データ蓄積手段から前記更新部分のモニタリング用画像データのみに対応したモニタリング用画像データを読み出して前記モニタリング用画像データ蓄積装置へ転送する第２画像データ転送手段とを備えたことを特徴とする、
ディジタル画像出力装置。
【手続補正３】
【補正対象書類名】明細書
【補正対象項目名】００２５
【補正方法】変更
【補正の内容】
【００２５】
【課題を解決するための手段】
請求項１に係る発明は、符号化されたディジタル画像データを受信し、前記符号化されたディジタル画像データを復号して出力すると共に、符号化時の画像データの更新の有無に関する情報を与える画像データ更新情報を前記符号化されたディジタル画像データに基づいて生成した上で前記画像データ更新情報を出力することを特徴とする。


【手続補正４】
【補正対象書類名】明細書
【補正対象項目名】００３２
【補正方法】変更
【補正の内容】
【００３２】
請求項８に係る発明は、ディジタル画像データを符号化し、符号化された画像をモニタリングするためのモニタリング用画像データを出力すると共に、符号化時の画像データの更新の有無に関する情報を与えるモニタリング用画像データ更新情報を出力するディジタル画像符号化装置と、前記ディジタル画像符号化装置が出力する前記モニタリング用画像データ更新情報に基づき符号化時に画像データが更新されている部分を特定し、当該特定結果に基づいて前記ディジタル画像符号化装置が出力する前記モニタリング用画像データの内で符号化時に更新されている部分のみに対応したモニタリング用画像データを転送するモニタリング用画像データ転送装置と、前記モニタリング用画像データ転送装置が転送出力する前記モニタリング用画像データを蓄積するモニタリング用画像データ蓄積装置とを備えたことを特徴とする。
【手続補正５】
【補正対象書類名】明細書
【補正対象項目名】００３３
【補正方法】変更
【補正の内容】
【００３３】
請求項９に係る発明は、請求項８記載のディジタル画像出力装置であって、画像の一部であるブロック単位の更新情報又はフレーム単位の更新情報の何れか一方を前記画像データ更新情報として用いることを特徴とする。


【手続補正６】
【補正対象書類名】明細書
【補正対象項目名】００３４
【補正方法】変更
【補正の内容】
【００３４】
請求項１０に係る発明は、請求項８記載のディジタル画像出力装置であって、画像の一部であるブロック単位の更新情報及びフレーム単位の更新情報の両方を前記画像データ更新情報として用いることを特徴とする。


【手続補正７】
【補正対象書類名】明細書
【補正対象項目名】００３５
【補正方法】削除
【補正の内容】
【手続補正８】
【補正対象書類名】明細書
【補正対象項目名】００３６
【補正方法】変更
【補正の内容】
【００３６】
請求項１１に係る発明は、請求項８記載のディジタル画像出力装置であって、前記モニタリング用画像データ転送装置は、前記モニタリング用画像データ更新情報に基づいて前記更新部分を特定し、前記特定結果を転送制御信号として出力する画像データ転送領域制御手段と、前記転送制御信号に基づいて前記ディジタル画像符号化装置が出力する前記モニタリング用画像データの内から前記更新部分のモニタリング用画像データのみを前記モニタリング用画像データ蓄積装置へ転送する画像データ転送手段とを備えたことを特徴とする。


【手続補正９】
【補正対象書類名】明細書
【補正対象項目名】００３７
【補正方法】変更
【補正の内容】
【００３７】
請求項１２に係る発明は、請求項８記載のディジタル画像出力装置であって、前記モニタリング用画像データ転送装置は、前記モニタリング用画像データ更新情報に基づいて前記更新部分を特定し、前記特定結果を転送制御信号として出力する画像データ転送領域制御手段と、前記ディジタル画像符号化装置が出力する前記モニタリング用画像データから一枚の画像を再構成する画像再構成用データ蓄積手段と、前記転送制御信号に基づいて前記画像再構成用データ蓄積手段から前記更新部分のみに対応したモニタリング用画像データを読み出して前記モニタリング用画像データ蓄積装置へ転送する画像データ転送手段とを備えたことを特徴とする。


【手続補正１０】
【補正対象書類名】明細書
【補正対象項目名】００３８
【補正方法】変更
【補正の内容】
【００３８】
請求項１３に係る発明は、請求項８記載のディジタル画像出力装置であって、前記モニタリング用画像データ転送装置は、前記モニタリング用画像データ更新情報に基づいて前記更新部分を特定し、前記特定結果を転送制御信号として出力する画像データ転送領域制御手段と、前記転送制御信号に基づいて前記ディジタル画像符号化装置が出力する前記モニタリング用画像データの内から前記更新部分のモニタリング用画像データのみを転送する第１画像データ転送手段と前記第１画像データ転送手段が出力する前記更新部分のモニタリング用画像データから一枚の画像を再構成する画像再構成用データ蓄積手段と、前記転送制御信号に基づいて前記画像再構成用データ蓄積手段から前記更新部分のモニタリング用画像データのみに対応したモニタリング用画像データを読み出して前記モニタリング用画像データ蓄積装置へ転送する第２画像データ転送手段とを備えたことを特徴とする。


【手続補正１１】
【補正対象書類名】明細書
【補正対象項目名】００４０
【補正方法】変更
【補正の内容】
【００４０】
（実施の形態１）
図１は、この発明の実施の形態１に係るディジタル画像出力装置の構成を示すブロック図である。図１において、１ａは、本出力装置の外部の符号化装置（図示せず）によって動画像を圧縮・符号化することによって得られたディジタル信号であるビットストリーム（符号化されたディジタル画像データに相当）を受信してこれを復号した上で、復号されたディジタル画像データＶ１を出力すると共に、受信したビットストリームないしは符号に基づいて、符号化時の画像データの更新の有無に関する情報を与える画像データ更新情報信号（以下、単に画像データ更新情報と称する）Ｖ２を生成・出力するディジタル画像復号器（ディジタル画像復号装置とも称す）である。又、７は、ディジタル画像復号器１ａの第２出力信号である制御データないしは画像データ更新情報Ｖ２を受信して、同信号Ｖ２に基づいて画像データが更新された部分を特定し（逆の観点から見れば非更新部分を特定しているとも言える）、その特定結果を転送制御信号ＶＣＴとして出力することにより画像データ転送手段２ａを制御する画像データ転送領域制御手段である。又、２ａは、ディジタル画像復号器１ａの第１出力信号であるディジタル画像データＶ１と上記転送制御信号ＶＣＴとを受信して、転送制御信号ＶＣＴの指示に基づいて第１出力信号Ｖ１の内から更新部分のディジタル画像データＶ１Ａのみを抽出して、このデータＶ１Ａをディジタル画像データ蓄積装置たるＬＣＤ用メモリ４に転送する画像データ転送手段である。ここで、両手段７，２ａを構成要素とするディジタル画像データ転送装置１００は、画像データ更新情報Ｖ２に基づき符号化時に画像データが更新されている部分を特定し（換言すれば、非更新部分を特定しているとも言える）、当該特定結果に基づいてディジタル画像データＶ１の内で符号化時に更新されている部分のみＶ１Ａ（ここでは、「上記更新部分のみに対応したディジタル画像データ」とは上記更新部分Ｖ１Ａそのものに該当）を転送・出力する機能を有する。


【手続補正１２】
【補正対象書類名】明細書
【補正対象項目名】０１５５
【補正方法】変更
【補正の内容】
【０１５５】
請求項８、１１乃至１３の各発明によれば、ディジタル画像符号化装置のモニタリング用画像データの出力、転送及び蓄積において、総てのモニタリング用画像データを転送していた従来例と比べて、無駄な転送動作を有効に防止して、低消費電力化を達成することができる。